(57)【要約】【課題】断面の一部に樹脂が被覆されていない箇所が設けられていても被覆樹脂層が外れる恐れが小さく、且つ製造を簡便に行うことができる樹脂被覆長尺体を提供する。【解決手段】抜け止め溝２１に被覆樹脂層１の一部が入り込んでいることで、断面の一部に樹脂が被覆されていない無被覆部３が設けられていても被覆樹脂層１が外れる恐れが小さくできるが、抜け止め溝２１の開口部２１１を覆って被覆樹脂層１が設けられることで、抜け止め溝２１に溶融樹脂を流入させる成形を行うのに複雑な金型を必要とせず単なる被覆成形にて行うことができ、また抜け止め溝２１の開口部２１１と被覆樹脂層の端縁１１とが異なる位置に設けられていることで、抜け止め溝２１の開口部２１１付近の成形後の樹脂ひけ等が顕著なものとなりにくいことから成形時の条件設定等が繁雑とならず、製造を簡便なものとすることができる。【選択図】        図１
2008213198.tif 000002
【特許請求の範囲】
【請求項１】
金属製の芯材の外面に合成樹脂を用いて被覆樹脂層が形成され、断面の一部に被覆樹脂層が設けられていない無被覆部が設けられると共に、前記芯材の被覆樹脂層の端縁と無被覆部との境界付近に蟻溝状の抜け止め溝が設けられ、抜け止め溝に被覆樹脂層の一部が入り込んでいる樹脂被覆長尺体であって、該抜け止め溝の開口部を覆って被覆樹脂層が設けられると共に、抜け止め溝の開口部と前記被覆樹脂層の端縁とが異なる位置に設けられていることを特徴とする樹脂被覆長尺体。
【請求項２】
前記被覆樹脂層は、接着性の合成樹脂を用いて形成されたものであることを特徴とする請求項１に記載の樹脂被覆長尺体。
【請求項３】
前記被覆樹脂層は、芯材と密着する内層と、内層の外側に設けられた外層とを備え、前記内層が接着性の合成樹脂を用いて形成されていることを特徴とする請求項１に記載の樹脂被覆長尺体。
【請求項４】
前記芯材は、断面矩形であって、該矩形の三面の外側に被覆樹脂層が設けられると共に、残りの一面が無被覆部となされていることを特徴とする請求項１〜３のいずれかに記載の樹脂被覆長尺体。
【発明の詳細な説明】
【技術分野】
【０００１】
本発明は、金属などのパイプ状物の表面に樹脂を被覆されると共に、断面の一部に樹脂が被覆されていない箇所が設けられている樹脂被覆長尺体に関するものである。
【背景技術】
【０００２】
金属などのパイプ状物の表面に樹脂を被覆してなる樹脂被覆長尺体としては、例えば予め金属芯材の形状に合わせて成形した樹脂成形体を、芯材に嵌め込むことによって被着する手すりは、簡便で施工性もよく、着脱も可能であるため、広く用いられている。このとき樹脂成形体を芯材に被着させる方法として、まず、芯材に開口部や溝を設けておき、被着させる樹脂成形体側にその開口部や溝に合わせて引っかけられるような爪を形成させ、その爪を開口部や溝に引っ掛けて被着させる樹脂成形体を固定する方法が用いられてきている（例えば特許文献１及び２）。
【０００３】
また、断面の一部に樹脂が被覆されていない箇所が設けられている樹脂被覆長尺体としては、例えば本出願人による特許文献３において、内部が中空かつその長手方向に沿って開口部を有したパ
イプ状長尺体の、開口部を除く部分に樹脂が被覆された樹脂被覆長尺体であって、パイプ状長尺体の開口部端部には被覆された樹脂の一部が入り込んで被覆樹脂が係止された係止溝が設けられており、前記係止溝の内部には溝入口部に比べて溝断面が大きい係止部が設けられており、該係止部まで被覆樹脂の一部が入り込むことによって、被覆樹脂の脱離を防止することができるようになされている樹脂被覆長尺体が開示されている（例えば特許文献３）。
【０００４】
【特許文献１】特開平９−１４４２６５号公報
【特許文献２】特開２０００−１７０３４１号公報
【特許文献３】特開２００５−２６２８０５号公報
【発明の開示】
【発明が解決しようとする課題】
【０００５】
しかしながら、特許文献１及び２に記載のような従来の樹脂被覆長尺体では、樹脂成形体を芯材に嵌め込むことによって被着する手すりは、使用中や施工時などに樹脂成形体の爪の部分が芯材から外れてしまうようなケースが多々見受けられていた。
【０００６】
これを防ぐために同時押出などによってパイプ状の芯材表面を完全に覆うように樹脂を被着させてもよいが、このようにすると手摺を壁などに取り付けたり支えたりする部品などを手摺に取り付ける場所がない。このような場合は、例えば手摺の外周をぐるりと回した部品などで固定すればよいのであるが、外観が損なわれたり、手摺に段差が出来てしまったりするため、あまり好ましいとは言い難い。
【０００７】
また特許文献３の樹脂被覆長尺体では、係止溝内に被覆樹脂の一部が入り込んでいることで、断面の一部に樹脂が被覆されていない箇所が設けられていても被覆樹脂が容易に取れないようになされているが、被覆樹脂が下方に開口した係止溝に入り込まされるので、係止溝付近の外形を成形する金型の形状が複雑なものとなって、製造時において形成を行う設備の設計や、成形時の条件の設定が繁雑になる恐れがあった。
【０００８】
本発明は上記の如き課題に鑑みてなされたものであり、断面の一部に樹脂が被覆されていない箇所が設けられていても被覆樹脂層が外れる恐れが小さく、且つ製造を簡便に行うことができる樹脂被覆長尺体を提供せんとするものである。
【課題を解決するための手段】
【０００９】
上記目的を達成するため、本発明は以下のような構成としている。すなわち、本発明に係わる樹脂被覆長尺体は、金属製の芯材の外面に合成樹脂を用いて被覆樹脂層が形成され、断面の一部に被覆樹脂層が設けられていない無被覆部が設けられると共に、前記芯材の被覆樹脂層の端縁と無被覆部との境界付近に蟻溝状の抜け止め溝が設けられ、抜け止め溝に被覆樹脂層の一部が入り込んでいる樹脂被覆長尺体であって、該抜け止め溝の開口部を覆って被覆樹脂層が設けられると共に、抜け止め溝の開口部と前記被覆樹脂層の端縁とが異なる位置に設けられていることを特徴とするものである。
【００１０】
本発明に係わる樹脂被覆長尺体によれば、抜け止め溝に被覆樹脂層の一部が入り込んでいることで、断面の一部に樹脂が被覆されていない無被覆部が設けられていても被覆樹脂層が外れる恐れが小さくできるが、抜け止め溝の開口部を覆って被覆樹脂層が設けられることで、抜け止め溝に溶融樹脂を流入させる成形を行うのに複雑な金型を必要とせず単なる被覆成形にて行うことができ、また抜け止め溝の開口部と前記被覆樹脂層の端縁とが異なる位置に設けられていることで、抜け止め溝の開口部付近の成形後の樹脂ひけ等が顕著なものとなりにくいことから成形時の条件設定等が繁雑とならず、製造を簡便なものとすることができる。
【００１１】
また前記被覆樹脂層は、接着性の合成樹脂を用いて形成されたものであれば、抜け止め溝による抜け止めに加え、被覆樹脂層自体が芯材に接着することで、更に被覆樹脂層が芯材から外れる恐れを小さくでき好ましい。
【００１２】
また前記被覆樹脂層は、芯材と密着する内層と、内層の外側に設けられた外層とを備え、前記内層が接着性の合成樹脂を用いて形成されていれば、芯材に被覆樹脂層を接着するのに用いる接着性樹脂の量を少なくして経済的に優れるものとでき好ましい。
【００１３】
また前記芯材は、断面矩形であって、該矩形の三面の外側に被覆樹脂層が設けられると共に、残りの一面が無被覆部となされていれば、樹脂被覆長尺体を構造物等に取り付ける場合に、芯材を構造物に密着させて取り付けることができ、取り付けを堅牢なものとすることができるようになり好ましい。
【発明の効果】
【００１４】
本発明に係わる樹脂被覆長尺体によれば、抜け止め溝に被覆樹脂層の一部が入り込んでいることで、断面の一部に樹脂が被覆されていない無被覆部が設けられていても被覆樹脂層が外れる恐れが小さくできるが、抜け止め溝の開口部を覆って被覆樹脂層が設けられることで、抜け止め溝に溶融樹脂を流入させる成形を行うのに複雑な金型を必要とせず単なる被覆成形にて行うことができ、また抜け止め溝の開口部と前記被覆樹脂層の端縁とが異なる位置に設けられていることで、抜け止め溝の開口部付近の成形後の樹脂ひけ等が顕著なものとなりにくいことから成形時の条件設定等が繁雑とならず、製造を簡便なものとすることができる。
【発明を実施するための最良の形態】
【００１５】
本発明に係わる最良の実施の形態について、図面に基づき以下に具体的に説明する。
【００１６】
図１は、本発明に係わる樹脂被覆長尺体の、実施の一形態を示す断面図である。まず樹脂被覆長尺体１０は、パイプ状で同一断面が連続して長尺に形成された、断面矩形のアルミニウム合金製の芯材２の外面に、合成樹脂を用いて被覆樹脂層１が押出成形により設けられて形成されたものであり、芯材２の断面の一部には被覆樹脂層１が設けられていない無被覆部３が設けられると共に、被覆樹脂層１と無被覆部３との境界付近の芯材２の外面には抜け止め溝２１が設けられ、抜け止め溝２１に被覆樹脂層１の一部が入り込んでいる。抜け止め溝２１の開口部２１１は被覆樹脂層１に覆われると共に、被覆樹脂層１の端縁１１は無被覆部３を挟んだ芯材２の角部２４にそれぞれ設けられている。抜け止め溝２１は、芯材２の角部２４よりやや中央側に開口されていることで、被覆樹脂層１の端縁１１と開口部２１１とは異なる位置に設けられている。
【００１７】
抜け止め溝２１は、開口部２１１の幅より内室部２１２の幅のほうが広くなされることで、入り込んだ被覆樹脂層１の一部が抜け止め溝２１から抜けにくくなされると共に、内室部２１２も奧側から手前側に漸次幅広となされた開口部２１１側を底辺とする台形形状となされていることで、更に被覆樹脂層１の一部が抜けにくくなされて被覆樹脂層１が芯材２から外れにくくなされている。芯材２の中空部分には、断面の中央を横断するようにリブ２２が設けられて強度が高められると共に、管状体の端部に蓋体をビス止めするためのビスホール２３が一体に設けられている。
【００１８】
被覆樹脂層１が、抜け止め溝２１の外側を覆って設けられていることで、押出成形や射出成形等、合成樹脂を溶融させることで抜け止め溝２１内に溶融樹脂を流入させて被覆樹脂層１を形成する場合に、金型の内面を複雑な形状とする必要がなく形成に係わる設備の設計が容易なものとなり、また被覆樹脂層１の端縁１１と抜け止め溝２１の開口部２１１とが異なる位置となることで、冷却時の樹脂引け等の成形後に生じる不具合が抜け止め溝２１の開口部２１１付近に集中することが回避され、製造時の条件設定を比較的緩やかなものとして製造を簡便に行うことができるようになされる。
【００１９】
被覆樹脂層１は、適宜の合成樹脂を用いて形成してよいが、熱成形時に溶融して蟻溝状の抜け止め溝２１内に流入可能となる熱可塑性合成樹脂を用いるのが好ましく、例えばポリエチレン、ポリプロピレン、ＡＢＳ樹脂、ＡＡＳ樹脂、ポリ塩化ビニル樹脂等を用いることができる。また被覆樹脂層１の形成に用いる合成樹脂として、金属材料との接着性を有する熱可塑性合成樹脂を用いれば、芯材２表面と被覆樹脂層１とが接着して、被覆樹脂層１を更に外れにくくすることができ、また被覆樹脂層１の浮きによる外観の悪化や被覆樹脂層１の破損を防ぐこともできる。金属材料との接着性を有する熱可塑性合成樹脂としては、例えばＥＶＡ（エチレン酢酸ビニルコポリマー）、ＰＶＢ（ポリビニルブチラール）、無水マレイン酸等で変性した変性ポリエチレン、変性ポリプロピレン、
ＥＡＡ樹脂等のα−オレフィンと不飽和カルボン酸の共重合体などを用いることができる。また被覆樹脂層１には、シリカ粉末、マイカ粉末、タルク、ガラスファイバー、炭酸カルシウム、水酸化アルミニウム、水酸化カルシウム、クレー、鉱物、マイクロバルーン、金属粉、木粉、パルプ等のセルロース粉末等の充填材を適宜配合してもよい。
【００２０】
芯材２は、金属製で抜け止め溝２１が設けられていれば特に限定されるものではなく鉄鋼、アルミニウム、ステンレス、亜鉛、チタン等の金属材料を用いて形成してよいが、蟻溝状の抜け止め溝２１を設けるには金属押出成形により成形するのが好適であり、また押出成形の容易さ及び軽量であることから、アルミニウム若しくはアルミニウム合金を用いて形成するのが好ましい。また金属材料を用いた場合であっても、芯材２の表面には最大表面粗さが０．０１〜０．１ｍｍ程度の微細な凹凸を設けて被覆樹脂層１との接触面積を大きくすると共に被覆樹脂層１の収縮による位置ずれを防いで被覆樹脂層１の芯材２からの剥離を防止するようにしておくのが好ましい。
【００２１】
図２は、図１に示した樹脂被覆長尺体の、構造物への取り付けの一例を示す断面図である。樹脂被覆長尺体１０は、芯材２が断面矩形となされると共に該矩形の三面の外側に被覆樹脂層１が設けられ、残りの一面が無被覆部３となされているものであるが、芯材２の一面に被覆樹脂層１が設けられず無被覆部３となされている。この無被覆部３には、蟻溝状の取付溝３１が設けられると共に、この取付溝３１に摺動自在に取付金具３２が挿入され、取付金具３２に設けられたねじ孔３３に構造物Ｓに挿通されたボルト３４が螺着されることで構造物Ｓへの取り付けが行われる。取付溝３１の両側には平坦な当接面３５が形成され、平坦な構造物Ｓへ取り付けられた際には、構造物Ｓの平面と当接面３５とが当接されて安定した取り付け状態となされるが、更に芯材２の一面が無被覆部３となされ、被覆樹脂層１の端縁１１が当接面３５と同じ位置か又は中央側となされていることで、構造物Ｓと芯材２（当接面３５）との間に被覆樹脂層１が介在することがなく、ボルト３４を緊結しても被覆樹脂層１のクリープ変形によるボルト３４の緩みが防止され、長期に亘って樹脂被覆長尺体１０が構造物Ｓに安定して取り付けられるようになされる。
【００２２】
図３は、本発明に係わる樹脂被覆長尺体の、他の実施形態を示す断面図である。樹脂被覆長尺体１０の被覆樹脂層１は、芯材２と密着する内層１３と、内層１３の外側に外面と密着して設けられた外層１２とを備え、内層１３と外層１２とが相溶して一体となされると共に、内層１３が接着性の合成樹脂を用いて形成されることで芯材２と内層１３とが接着されているものである。被覆樹脂層１を内層１３及び外層１２の複数層とすることで、比較的高価な接着性樹脂の量を少なくして経済的に優れたものとできると共に、外層１２に耐候性の高い合成樹脂を用いることで樹脂被覆長尺体１０の劣化を抑制することができる。また内層１３を形成する接着性の合成樹脂は、上述の金属材料との接着性を有する熱可塑性合成樹脂を用いるのが好ましい。更にまた外層１２には、合成樹脂の他に上述のような充填材を配合して、例えば金属粉を配合して外観に金属感を持たせたり、木粉を配合して触感を木質感のものにしたりしてもよい。
【図面の簡単な説明】
【００２３】
【図１】本発明に係わる樹脂被覆長尺体の、実施の一形態を示す断面図である。
【図２】図１に示した樹脂被覆長尺体の、構造物への取り付けの一例を示す断面図である。
【図３】本発明に係わる樹脂被覆長尺体の、他の実施形態を示す断面図である。
【符号の説明】
【００２４】
１    被覆樹脂層
１１  端縁
１２  外層
１３  内層
２    芯材
２１  取付溝
２１１  開口部
３    無被覆部
１０  樹脂被覆長尺体
Ｓ    構造物
【図１】
2008213198.tif 000003
【図２】
2008213198.tif 000004
【図３】
2008213198.tif 000005